(57)【特許請求の範囲】
【請求項１】
被照射体が設置される上部の天井に設けられたターンテーブルと、端部が床に床に接触しない状態で前記ターンテーブルに吊り下げられた半円弧状のアーチレールと、前記アーチレールに沿って吊り下げられた移動可能なバンクフレームと、前記バンクフレームに平面状に複数設けられた電球とそれらの反射鏡より構成される光照射メインバンクと、前記光照射メインバンクと併設され複数の電球が平面状に設けられた補助バンクとを備え、前記バンクフレームと光照射メインバンクは支持の中心点からずらして前記アーチフレームに吊り下げられ、前記補助バンクは、前記天井に、前記ターンテーブルに取り付けたアーチレールより高い位置に取り付けた直線レール上を移動し、前記補助バンクが前記直線レールの支持部中心に対してアーチレール側に偏心して設けられていることを特徴とする可動式光照射装置。
【請求項２】
請求項１記載の可動式光照射装置において、前記ターンテーブルの中央に配線のスペースを確保し、前記スペース部に旋回クレーンの捻回部の配線に適した耐捻回式ケーブルを用い、前記アーチレールを３６０度旋回移動させる手段を有することを特徴とする可動式光照射装置。
【請求項３】
請求項１記載の可動式光照射装置において、前記光照射メインバンクを旋回させる時には、前記ターンテーブルに取り付けたアーチレールより高い位置に取り付けた直線レール上を移動させ、前記補助バンクを退避させる駆動手段を有することを特徴とする可動式光照射装置。
【請求項４】
請求項１記載の可動式光照射装置において、前記光照射メインバンクを前記被照射体側に近接又は離間させるための駆動機構を設けたことを特徴とする可動式光照射装置。
【発明の詳細な説明】
【０００１】
【発明の属する技術分野】
本発明は、試験室内に設置した乗用車などに対して多数の放熱電球とそれらの反射鏡より構成される光照射メインバンクを移動しつつ光を全方位で照射し種々の試験を行うことなどに用いる可動式光照射装置に関するものである。
【０００２】
【従来の技術】
従来の可動式日射装置としては、次の２つのものが提案されている。まず、第１の装置として、特開平４−５４４３１号公報には、架台に支持されて上方に設けた垂直移動レールと、床面に設置された半円形の水平移動レールとを備え水平移動レール上を垂直移動レールを備えた架台が水平移動可能に構成されておりこの垂直移動レールに沿って光照射バンクが垂直移動する構成のものが開示されている。また、第２の装置として、特開平７−２８０７０６号公報には、大型の円形レール上を該円形レールの中心点を回転中心として回転移動する直線状のバンクレール上を光照射バンクが上下方向に回転可能に吊り下げられた構成の日射装置が開示されている。
【０００３】
【発明が解決しようとする課題】
上記第１の従来の装置では乗用車の前後左右斜め方向並びに上方向から光を照射するためには、アーチレールを乗用車の上部から床面まで延ばしておく必要があった。なお、アーチレールを乗用車の上部から床面まで延ばすことにより、アーチレールの旋回径は旋回中心からアーチレールの床面までの距離が必要で大型にならざるを得ず、設置するには大きな部屋を必要とする。
【０００４】
さらに、光照射装置は電球の配線が膨大な量になる為、上記の第１の従来装置のように配線のスペースを確保する為に、ターンテーブルを半円形にするか一部を切り欠くか、もしくは上記の第２の従来装置のようにターンテーブルの外側に配線のスペースを確保する必要があり、その為には３６０度旋回できないかできても装置を大型にせざるを得ず、設置するには大きな部屋を必要とする。
【０００５】
それ故、本発明の目的は、狭い試験室において、乗用車などの被照射体の前後左右並びに上方の任意の位置に光照射メインバンクを容易に移動でき、被照射体を移動させることなく任意の位置から光を照射できる、省スペースに設置することができる可動式光照射装置を提供することにある。
【０００６】
【課題を解決するための手段】
上記目的を達成する本発明の第一の特徴は、被照射体が設置される上部に設けられたターンテーブルと、前記ターンテーブルに吊り下げられアーチレール、前記アーチレールに沿って移動可能なバンクフレーム、前記バンクフレームに吊り下げられた多数の電球とそれらの反射鏡より構成される光照射メインバンク、前記光照射メインバンクと並んで設けられた補助バンクを備え、上記バンクフレームを下方に偏心させて吊り下げることにより、上記アーチレールを床まで延ばすことなく乗用車などの前後左右並びに上方の任意の位置に光照射メインバンクを容易に移動させる手段を有することにある。
【０００７】
本発明によれば、上記アーチレールを床まで延ばすことがないので、アーチレールの旋回径は旋回中心から中空の上記アーチレール先端までとなり、アーチレールを床面まで延ばした場合に比べて、旋回径を小さくできるので設置スペースはずっと小さくできる。
【０００８】
【発明の実施の形態】
以下、図に示した実施例に沿って本発明装置について説明する。図１は本発明の全体構成を示した図である。
【０００９】
図１において、建家の構造体１には、内装材２が設けられている。この内装材２と床３とで試験室４が区画されている。乗用車５は内装材２の開放部６を通して試験室４に出し入れされる。開放部６には扉７が設けられている。扉７の前方、乗用車５の正面には乗用車５の試験のために、風や雪あるいは霙混じりの風を吹き出すベルマウス８が設けてある。上部内装材２、即ち、試験室４の天井にはターンテーブル９が設けられている。ターンテーブル９の下方には、円弧状のアーチレール１０が吊り下げられており、このターンテーブルを回転することでアーチレール１０が３６０度回転可能になっている。すなわち、アーチレール１０の上部には、モータ１３を備え、その軸が旋回輪１２と結合されているので、モータ１３の駆動で旋回輪１２を介してターンテーブル９が回転し、アーチレール１０は矢印Ａで示すように回転する。
【００１０】
このアーチレール１０には、バンクフレーム１１が移動機構を備えた吊り部材により吊り下げられた形になっている。このバンクフレーム１１には、放熱電球１５とそれらの反射鏡１６を取り付けた光照射メインバンク１４が設けてある。後述するように、このバンクフレーム１１がアーチレール１０上を移動する構成となっている。なお、バンクフレーム１１及び光照射メインバンク１４は支持の中心点からずらして(偏心させて)アーチレール１０に吊り下げられている。これは、アーチレール一方の端部に位置したとき天空の中心状態、他端部に位置したとき水平線(地平線)に相当する状態で日射できるようにすると共にアーチレールの回転半径を極力小さくするためである。
【００１１】
また、本実施形態で、アーチレール１０は図のように、半円弧状として一方端側に片寄るように(偏心させて)支持している。この理由は、光照射メインバンク１４が天空中心状態に位置したとき、光照射メインバンク１４が床面に略平行になるアーチレール位置を一端側とし、他端側は光照射メインバンク１４が水平線(地平線)状態に近い位置になるようにしたものである。これにより、天井側の支持位置を回転することで、全方位の日射を模擬することが可能となる。更に、光照射メインバンク１４に設けた放熱電球１５は、本図面では１列分しか示していないが、四角の平面に複数面状に配置してある。また、この放熱電球は、旋回半径を少しでも小さくするために（旋回半径は、バンクの対角寸法が影響するため）バンクの角部を減らした配置としてある。
【００１２】
また、本装置では補助バンク２２が設けてある。この補助バンクは、試験室４の天井に、ターンテーブル９に取り付けたアーチレール１０にぶつからずに移動できるように、アーチレールより高い位置に取り付けた直線レール上を移動する。この補助バンクの移動手段は走行体側に設けたモータ２１を駆動することでローラを回転させ、補助バンク２２を光照射メインバンク１４側に近接させたり、離間させたりすることができる。補助バンクも、放熱電球が平面状に複数配置してある。また、この補助バンクも直線レールの支持部中心に対して、アーチレール１０側に偏心して取り付けてある。
【００１３】
このように補助バンク２２を設けることによって、光照射メインバンク１４の光量及び光強度が不足しないように、補助バンク２２を光照射メインバンク１４に並べて光照射することで所望の光量、及び光強度を得ることができるようにした（太陽が天空中心に位置する場合最大の日射状態となるがこの状態を模擬できるようにした）ものである。また、補助バンク２２を設けることで、アーチレール側に設ける光照射メインバンク１４の大きさを、それほど大きくする必要がなくなり、旋回半径を小さくするだけでなく、装置自体の駆動に要する消費電力を低減することが可能となる。
【００１４】
図２は可動式光照射装置の配線系を示した図である。
図２において、光照射メインバンク１４は、乗用車５側に多数の放熱電球１５とそれらの反射鏡１６を平面状に配置してある。放熱電球１５には図示していない制御盤から中継ボックス２３〜２９とケーブルベヤ３０、３１を経由してケーブル３２、３３で電力を供給する。このように、ケーブルベヤ３０、３１を設けることで、光照射メインバンク１４がアーチレール１０に沿って移動してもケーブルが絡まないようにしている。ケーブルベヤ３０、３１はカーテンレールなどの方式でもよい。各バンクに設けてある複数の放熱電球１５は、それぞれ図示していない制御盤のスイッチで選択して点滅制御を行うことができる。放熱電球１５を点滅制御することで照射対象物への光量及び光強度を制御することができる。
【００１５】
なお、ターンテーブル９等でケーブルが捻れて断線等を発生しないようにケーブルには耐捻回式ケーブルを用いている。
【００１６】
図３は光照射メインバンクの傾斜駆動を説明するための図である。
図３において、バンクフレーム１１は光照射メインバンク１４の後背側にモータ１７、減速機１８およびスプロケット１９を備えている。モータ１７を駆動すると減速機１８を介してスプロケット１９を回転させて、スプロケット１９がチェーン２０に噛み合いながら移動することによって、光照射メインバンク１４は矢印Ｂで示すように移動し、傾斜する。チェーン２０はベルトやロープなどの各種の可撓体でもよい。モータ１７を駆動することでバンクフレーム１１を介して光照射メインバンク１４を矢印Ｂ方向に傾斜させることで、光照射対象物である乗用車５から見た光照射メインバンク１４の仰角（傾斜角）を任意に変更調整できる。
【００１７】
この図１に示す実施形態においては、矢印Ａ、Ｂの動きによって、光照射メインバンク１４は、太陽の各季節毎の任意の運行軌道を模擬でき、太陽の動きに起因する車内環境を再現して、乗用車５からみて任意のハンドル切り角についての各種の試験を実施できる。
【００１８】
これらの動きは、各モータ１３、１７の回転数、回転方向および回転のタイミングで任意に設定でき、図示していないプログラマブルコントローラによって容易に実施できる。放熱電球１５への電力供給は耐捻回式ケーブル３４によるので、矢印Ａでの同一方向への連続回転は注意し、一回転一寸で旋回を阻止できるストッパなどを設置しておくことがよい。
【００１９】
図４において上記装置に付属して、上記光照射メインバンク１４がＡ方向に旋回時には、天空時の照射量を確保する上記光照射メインバンク１４と並んで設けられた補助バンク２２を、上記照射メインバンク１４に対して水平Ｃ方向に退避させることにより、光照射メインバンク１４の旋回半径（アーチレール１０の旋回半径）を小さくすることができる。
【００２０】
本発明は、上記実施形態に限定されることなく以下の各種の態様においても実施できる。
【００２１】
図５は本発明の他の実施形態として、光照射メインバンクの上下可動状況を説明する図である。本実施形態は図１の実施形態に、矢印Ｄの上下昇降の動きなどを付加したものである。すなわち、光照射メインバンクを上下動させるために、バンクフレーム１１上にモータ３５とスクリュージャッキ３６等を付加したものである。本構成で、モータ３５の駆動をコントロールすることによって、乗用車５から見た光照射メインバンク１４の仰角を変えることなく乗用車５と光照射メインバンク１４の距離を変更できる。このため、放熱電球１５の点滅に加えてこの距離の調整で乗用車５に対する光量、光の強さを自由に調整できる。なお、スクリュージャッキ３６に代えてボールネジ等を用いてもよい。
【００２２】
また、モータ１３、１７の駆動を調整することで、光照射メインバンク１４は乗用車５の前だけでなく左右横側や後方位置ならびに上方の全ての位置に移動でき、乗用車５に対して任意の方向から光を照射できる。以上のように、一個の光照射メインバンク１４を移動することで、乗用車５を固定状態として、乗用車５の下方を除いた全ての方向から光を照射できる。
【００２３】
図６に本発明の更に他の実施形態を示す。
図６では、回転用のターンテーブル９下部に半円弧の第２のアーチレール４０を設け、更にその下部に図１の実施形態と同様に第１のアーチレール１０が移動可能に吊り下げられ、第１のアーチレール１０には、図１と同様に光照射メインバンク１４が吊り下げられているものである。図のように第２のアーチレール４０上を第１のアーチレール１０が矢印Ｅ方向に移動できるようにモータ３７と、減速機３８およびスプロケット３９と、チェーン４０を備えている。モータ３７を駆動すると減速機３８を介してスプロケット３９が回転することによって、光照射メインバンク１４は矢印Ｅの左右傾斜の動きが付加されることになり、この構成とすると更に太陽の動きを正確に模擬できる。なお、チェーン４０は、ギヤ形状の突起や、ベルトやロープなどの各種の可撓体でもよい。
【００２４】
図７に更に本発明の他の実施形態を示す。
本実施形態では、光照射メインバンク１４を直線状に移動するように、試験室４の天井に直線レールを取り付け、前記直線レール上にモータ４１を備えた吊り部材を設け、その下方に図１にの構成のものをそのまま取り付けたものである。すなわち、ターンテーブル９と旋回輪１２およびモータ１３を備え、ターンテーブル９の下方にアーチレール１０及びバンクフレーム１１や光照射メインバンク１４を移動させる為の駆動機構を設け、その駆動機構の取り付け部材に光照射メインバンク１４を取り付けたものである。すなわち駆動機構取り付け部材がターンテーブル構造としたものである。これにより、光照射メインバンク１４の横移動(図の矢印Ｆ方向の移動)を可能にした。これにより、被照射体の大きさが変化しても対応できるようにしたものである。
【００２５】
なお、上記全ての実施形態で光照射メインバンクや補助バンクの光熱電球１５に代えて螢光管、ネオン管、ナトリウム管など各種の放電管を任意に備えたものとしてもよい。
【００２６】
【発明の効果】
以上説明したように本発明によれば、狭い試験室において、乗用車などの前後左右並びに上方の任意の位置に光照射メインバンクを容易に移動でき、任意の位置から光を照射できる、省スペースに設置することができる可動式光照射装置を得ることができる。
【図面の簡単な説明】
【図１】本発明の一実施例になる可動式光照射装置を設置した乗用車用環境試験装置の全体構成を示した図である。
【図２】本実施例における配線説明図である。
【図３】本実施例における光照射メインバンクの傾斜駆動部説明図である。
【図４】本実施例における補助バンク説明図である。
【図５】他の実施例になる可動式光照射装置を設置した乗用車用環境試験装置の概略図である。
【図６】他の実施例になる可動式光照射装置を設置した乗用車用環境試験装置の概略図である。
【図７】他の実施例になる可動式光照射装置を設置した乗用車用環境試験装置の概略図である。
【符号の説明】
１…建家構造体、２…内装材、３…床、４…試験室、５…乗用車、６…開放部、７…扉、８…ベルマウス、９…ターンテーブル、１０…アーチレール、１１…バンクフレーム、１２…旋回輪、１３、１７、２１、３５、３７、４１…モータ、１４…光照射メインバンク、１５…放熱電球、１６…反射鏡、１８、３８…減速機、１９、３９…スプロケット、２０、４０…チェーン、２２…補助バンク、２３、２４、２５、２６、２７、２８、２９…中継ボックス、３０、３１…ケーブルベヤ、３２、３３…ケーブル、３４…耐捻回式ケーブル、３６…スクリュージャッキ。
【図１】
0003774660.tif 000002
【図２】
0003774660.tif 000003
【図３】
0003774660.tif 000004
【図４】
0003774660.tif 000005
【図５】
0003774660.tif 000006
【図６】
0003774660.tif 000007
【図７】
0003774660.tif 000008